(57)【要約】      （修正有）【課題】規則正しく試料に攪拌と静置を行うことが可能な攪拌装置を提供する。【解決手段】押下検知制御部２０１は、攪拌を開始させるためのボタンの押下を検知する。攪拌制御部２０２は、ボタンの押下が検知されると、当該ボタンの押下の検知時点からの経過時間が、予め設定された攪拌時間を経過するまで、ホルダーの偏心回転による当該ホルダー上の試料の攪拌を行う。静置制御部２０３は、経過時間が攪拌時間を経過すると、ホルダーの偏心回転を停止させるとともに、当該ホルダーの偏心回転の停止時点からの経過時間が、予め設定された静置時間を経過するまで、ホルダー上の試料を静置させる。発報制御部２０４は、経過時間が静置時間を経過すると、アラームを所定の発報時間だけ発報する。繰り返し制御部２０５は、発報の完了後に、ボタンの押下が行われる度に、攪拌と、静置と、発報とを繰り返す。【選択図】図５
0003225394.tif 000002
【実用新案登録請求の範囲】
【請求項１】
攪拌を開始させるためのボタンの押下を検知する押下検知制御部と、
前記ボタンの押下が検知されると、当該ボタンの押下の検知時点からの経過時間が、予め設定された攪拌時間を経過するまで、ホルダーの偏心回転による当該ホルダー上の試料の攪拌を行う攪拌制御部と、
前記経過時間が前記攪拌時間を経過すると、前記ホルダーの偏心回転を停止させるとともに、当該ホルダーの偏心回転の停止時点からの経過時間が、予め設定された静置時間を経過するまで、前記ホルダー上の試料を静置させる静置制御部と、
前記経過時間が前記静置時間を経過すると、アラームを所定の発報時間だけ発報する発報制御部と、
前記発報の完了後に、前記ボタンの押下が行われる度に、前記攪拌と、前記静置と、前記発報とを繰り返す繰り返し制御部と、
を備える攪拌装置。
【考案の詳細な説明】
【技術分野】
【０００１】
本考案は、攪拌装置に関する。
【背景技術】
【０００２】
従来、液体同士、又は液体と粉体を溶解させたり、混合させたりする攪拌装置は存在する。例えば、特開昭５９−７３０３３号公報（特許文献１）には、隅取式モータ（３）と、支持体（９）に弾性部材（２１，２１）を介して上下及び水平方向に揺動可能に取り付けられ、試料容器（６）の首部（６ａ）を懸垂保持する試料容器保持体（１０）と、及び試料容器（６）をその上側から押圧する押え体（２４）とを具備し、試料容器（６）の首部（６ａ）を前記保持体（１０）で保持すると共に、試料容器（６）を前記押え体（２４）で押圧しつつ前記隅取式モータ（３）の動作により試料容器（６）を振動させるように構成した自動攪拌装置が開示されている。これにより、乳液状、懸濁液状、練状、粉状といった従来迅速な均一攪拌が行い難かった粘塑性物質、不溶性成分含有試料も非常に効果的に攪拌、混合されるので、これらの試料の均一な攪拌に好適に用いることが出来るとしている。
【０００３】
又、特開２００２−３２０８３５号公報（特許文献２）には、中空円筒容器、この中空円筒容器を収容し係合、保持する容器ホルダー、中空円筒容器内に収容された投与液瓶、投与液瓶の外壁と中空円筒容器の内壁との間隙に投与液瓶を中空円筒容器に挿入、固定するために介在させる弾性体および前記容器ホルダーを自転させると共に公転させる駆動機構を有する混合攪拌機の投与液瓶に、疎水性粉末と分散媒を含んで成る懸濁液調製材料を収容し、前記投与液瓶を自転および公転させる懸濁液の調製方法が開示されている。これにより、従来法によっては懸濁化が不可能又は、きわめて困難であった疎水性粉末の水性分散媒による懸濁化が可能となるとしている。
【０００４】
又、実用新案登録第３１５０７９５号公報（特許文献３）には、ａ）支持台と、ｂ）前記支持台に回転可能に支持された鉛直方向に延びる主軸と、ｃ）前記主軸に対して偏心配置された偏心軸を介して前記主軸の周りを旋回可能に設けられた、上面に撹拌対象物の保持部を有する撹拌台と、ｄ）前記支持台と前記撹拌台との間に撓みを有する状態で架け渡され、前記撹拌台に対して水平方向の２点以上で固定されたゴム製の板状部材から成る自転規制連結材と、を備える撹拌装置が開示されている。これにより、撹拌台が旋回運動の際に自転しようとしても、撹拌台と支持台との間に撓んだ状態で取り付けられた板状部材によって、撹拌台のＸ軸及びＹ軸の２方向の動きが許容されつつ自転が規制され、その結果、板状部材に大きな張力が作用することが防止され、破損し難くなるとしている。更に、撹拌台の自転を規制する機構の構成部品点数を少なくすることができ、製造コストの低減を図ることができるとしている。
【先行技術文献】
【特許文献】
【０００５】
【特許文献１】特開昭５９−７３０３３号公報
【特許文献２】特開２００２−３２０８３５号公報
【特許文献３】実用新案登録第３１５０７９５号公報
【考案の概要】
【考案が解決しようとする課題】
【０００６】
通常の攪拌装置では、作業者が、攪拌対象の試料容器を攪拌している最中に、試料容器の中を目視で観察して、液体同士が十分に混ざっているか、粉体が液体に十分に溶けているかを確認する必要がある。ここで、液体の混合や粉体の溶解では、試料容器を一度攪拌した後に、静置させて、試料容器内の液体や粉体が安定化するのを待つ必要がある。特に、試料容器が薬液等の医薬品である場合には、薬液の攪拌と静置は必要であり、その作業に看護師等の作業者が掛かり切りになっており、看護師等に負担が掛かっているという課題がある。
【０００７】
一方、上述した特許文献１−３に記載の技術では、試料容器の攪拌と静置に関する記載が無く、上述のような看護師等の負担を軽減することが出来ない。
【０００８】
そこで、本考案は、課題を解決するためになされたものであり、看護師等の作業者が掛かり切りになることなく、規則正しく試料に攪拌と静置とを行うことが可能な攪拌装置を提供することを目的とする。
【課題を解決するための手段】
【０００９】
本考案者は、鋭意研究を重ねた結果、本考案に係る新規な攪拌装置を完成させた。即ち、本考案に係る攪拌装置は、押下検知制御部と、攪拌制御部と、静置制御部と、発報制御部と、繰り返し制御部とを備える。押下検知制御部は、攪拌を開始させるためのボタンの押下を検知する。攪拌制御部は、前記ボタンの押下が検知されると、当該ボタンの押下の検知時点からの経過時間が、予め設定された攪拌時間を経過するまで、ホルダーの偏心回転による当該ホルダー上の試料の攪拌を行う。静置制御部は、前記経過時間が前記攪拌時間を経過すると、前記ホルダーの偏心回転を停止させるとともに、当該ホルダーの偏心回転の停止時点からの経過時間が、予め設定された静置時間を経過するまで、前記ホルダー上の試料を静置させる。発報制御部は、前記経過時間が前記静置時間を経過すると、アラームを所定の発報時間だけ発報する。繰り返し制御部は、前記発報の完了後に、前記ボタンの押下が行われる度に、前記攪拌と、前記静置と、前記発報とを繰り返す。
【考案の効果】
【００１０】
本考案によれば、看護師等の作業者が掛かり切りになることなく、規則正しく試料に攪拌と静置とを行うことが可能となる。
【図面の簡単な説明】
【００１１】
【図１】本考案の実施形態に係る攪拌装置の平面図と、底面図と、正面図と、背面図とである。
【図２】本考案の実施形態に係る攪拌装置の右側面図と、左側面図と、Ａ−Ａ線断面図と、Ｂ−Ｂ線断面図とである。
【図３】本考案の実施形態に係る攪拌装置の参考斜視写真である。
【図４】本考案の実施形態に係る攪拌装置の斜視図と、分解斜視図とである。
【図５】本考案の実施形態に係る攪拌装置の機能ブロック図と、実行手順を示すフローチャートとである。
【図６】本考案の実施形態に係る攪拌装置の準備段階を示す参考斜視図である。
【図７】本考案の実施形態に係る攪拌装置の使用状態を示す参考斜視図である。
【図８】本考案の実施形態に係る攪拌装置の振動時の様子を示す参考平面図である。
【考案を実施するための形態】
【００１２】
以下に、添付図面を参照して、本考案の実施形態について説明し、本考案の理解に供する。尚、以下の実施形態は、本考案を具体化した一例であって、本考案の技術的範囲を限定する性格のものではない。
【００１３】
本考案は、図１−図４に示すように、液体同士、又は液体と粉体を溶解させたり、混合させたりする攪拌装置１であって、筐体１０と、ボタン１１と、表示部１２と、くぼみ１３と、ホルダー１４とを備える。
【００１４】
ボタン１１は、例えば、平面に２つ設けられ、平面左側に電源ボタン１１ａと、平面右側に起動／一時停止ボタン１１ｂとが設けられている。電源ボタン１１ａは、電源をＯＮ又はＯＦＦするためのボタンであり、起動／一時停止ボタン１１ｂは、攪拌を開始又は一時停止させるためのボタンである。表示部１２は、デジタル式であり、例えば、攪拌時間や静置時間を表示する。ボタン１１や表示部１２が設けられる筐体１０の平面部は、左右方向に対して平行に構成されている。これにより、作業者によるボタン１１の押し易さや表示部１２の視認容易さを向上することが出来る。
【００１５】
くぼみ１３は、ホルダー１４を収容するために設けられる。ホルダー１４は、液体同士、又は液体と粉体とを収容する試料（例えば、小瓶、バイアル瓶等）を保持するために設けられ、図１−図４に示すように、小瓶用のホルダー部材１４ａを３つ三角形状に並べて設けているが、ホルダー部材１４ａの数に特に限定は無い。又、ホルダー部材１４ａの形状に特に限定は無く、例えば、円筒状であるが、他に、直方体状であっても構わない。ホルダー部材１４ａは、小瓶を固定し易く、且つ、外し易くするために、複数のスリットを入れて、スリット間の板部の先端に、内側に向かう爪部を設けて、ホルダー部材１４ａの可撓性により、爪部が小瓶を軽く係止して保持するよう構成しても良い。ここで、ホルダー１４及びホルダー部材１４ａの材質に特に限定は無いが、例えば、透明とすることで、ホルダー部材１４ａに収納する試料の中身を容易に確認することが可能となる。
【００１６】
ホルダー１４は、図１−図４に示すように、筐体１０内で、くぼみ１３の下方に設けられた偏心モーター１５の回転軸に接続されている。ホルダー１４は、下方のトレイ１４ｂに固定され、トレイ１４ｂは、２つのベアリング１６と、運動ループ１７と、軌跡ループ１８と、支持台１９とを介して偏心モーター１５の回転軸に接続されている。運動ループ１７は、トレイ１４ｂの偏心回転運動を円滑にするための部材であり、軌跡ループ１８は、トレイ１４ｂの偏心回転運動を規定するための部材であり、支持台１９は、２つのベアリング１６と、運動ループ１７と、軌跡ループ１８とをトレイ１４ｂに固定するためのものである。又、筐体１０の下方側の蓋となる基台１０ａが設けられる。又、筐体１０の背面には、偏心モーター１５に電力供給する電源アダプター１０ｂが設けられる。
【００１７】
表示部１２の背面には、電源ボタン１１ａと起動／一時停止ボタン１１ｂとに電気的に接続された偏心モーター用の制御回路（図示せず）が設けられ、制御回路は、図示しないＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等を内蔵しており、ＣＰＵは、例えば、電源ボタン１１ａと起動／一時停止ボタン１１ｂとの押下に対応する所定の電気信号を受けて、ＲＡＭを作業領域として利用し、ＲＯＭ等に記憶されているプログラムを実行し、表示部１２のデジタル表示を制御する。後述する図４に示す各部についても、制御回路のＣＰＵ等が各部を実現する。
【００１８】
次に、図５−図８を参照しながら、本考案の実施形態に係る構成及び実行手順について説明する。先ず、看護師等の作業者が、図６に示すように、電源アダプター２０を攪拌装置１の電源コネクター１０ｂに装着すると、攪拌装置１の押下検知制御部２０１が、攪拌装置１の電源ボタン１１ａ又は起動／一時停止ボタン１１ｂの押下の検出を開始する。作業者は、薬液、薬剤等を収容する小瓶２１（例えば、バイアル瓶）を攪拌装置１のホルダー１４のホルダー部材１４ａに固定する。これにより、攪拌の準備が整う。
【００１９】
次に、作業者が、図７に示すように、攪拌装置１の電源ボタン１１ａを押下すると、押下検知制御部２０１が、電源ボタン１１ａの押下を検知して、電源アダプター２０からの電源供給を開始し、表示部１２を所定の点滅時間（例えば、０．５秒）だけ点滅させ、その後、点灯状態にして、電源をＯＮする（図５：Ｓ１０１ＹＥＳ）。尚、電源ボタン１１ａが押下されない場合は（図５：Ｓ１０１ＮＯ）、電源供給が開始されない。
【００２０】
そして、作業者が、攪拌装置１の起動／一時停止ボタン１１ｂを押下すると（図５：Ｓ１０２ＹＥＳ）、押下検知制御部２０１が、起動／一時停止ボタン１１ｂの押下を検知し、攪拌装置１の攪拌制御部２０２が、起動／一時停止ボタン１１ｂの押下の検知時点からの経過時間が、予め設定された攪拌時間（例えば、「１５秒」）を経過するまで、ホルダー１４の偏心回転によるホルダー１４上の小瓶２１の攪拌を行う（第一の攪拌）（図５：Ｓ１０３）。
【００２１】
攪拌制御部２０２が攪拌する方法に特に限定は無い。例えば、攪拌制御部２０２は、偏心モーター１５の回転軸を所定の方向（例えば、時計回り）に回転させることで、ホルダー１４のトレイ１４ｂが偏心回転運動を行い、ホルダー部材１４ａが筐体１０の正背方向及び左右方向に揺動し振動する。又、図８に示すように、ホルダー１４がくぼみ１３内で偏心回転して、小瓶２１が振動する。これにより、小瓶２１を外に出すことなく円滑に振動させることが出来る。尚、偏心モーター１５による振動であるため、音が静かである。
【００２２】
又、攪拌制御部２０２は、攪拌時間だけ小瓶２１を攪拌するため、誰が行っても精度高く小瓶２１を攪拌することが出来る。尚、攪拌時間は、小瓶２１の内容物によって適宜設計可能である。
【００２３】
更に、攪拌制御部２０２が、攪拌中の経過時間を１秒間隔でカウントアップし、カウントアップした時間を表示部１２に表示する。これにより、作業者は、攪拌時間を確認することが出来る。そして、攪拌制御部２０２は、表示部１２に、一回目の押下を示す情報（例えば、「１」）を表示しても良い。
【００２４】
尚、攪拌中に、作業者が、起動／一時停止ボタン１１ｂを押下すると、押下検知制御部２０１が、当該起動／一時停止ボタン１１ｂの押下を検知し、攪拌制御部２０２が、ホルダー１４の偏心回転を一時停止する。これにより、何かの理由により、攪拌を停止させたい場合は、起動／一時停止ボタン１１ｂの押下により簡単に攪拌を停止させることが出来る。そして、一時停止中に、作業者が、起動／一時停止ボタン１１ｂを押下すると、押下検知制御部２０１が、当該起動／一時停止ボタン１１ｂの押下を検知し、攪拌制御部２０２が、ホルダー１４の偏心回転を再開する。
【００２５】
さて、経過時間が攪拌時間を経過すると、攪拌装置１の静置制御部２０３は、ホルダー１４の偏心回転を停止させるとともに、当該ホルダー１４の偏心回転の停止時点からの経過時間が、予め設定された静置時間（例えば、「２０分」）を経過するまで、ホルダー１４上の小瓶２１を静置させる（第一の静置）（図５：Ｓ１０４）。
【００２６】
静置制御部２０３が静置させる方法に特に限定は無い。例えば、静置制御部２０３が偏心モーター１５の回転軸の回転を停止させることで、ホルダー１４上の小瓶２１を静置させる。ここで、静置制御部２０３は、静置時間だけ小瓶２１を静置するため、誰が行っても精度高く小瓶２１を静置することが出来る。尚、静置時間は、小瓶２１の内容物によって適宜設計可能である。
【００２７】
更に、静置制御部２０３が、静置中の経過時間を１秒間隔でカウントアップし、カウントアップした時間を表示部１２に表示する。これにより、作業者は、静置時間を確認することが出来る。又、静置制御部２０３は、表示部１２に、一回目の押下を示す情報（「１」）を表示しても良い。
【００２８】
さて、経過時間が静置時間を経過すると、攪拌装置１の発報制御部２０４は、アラーム（例えば、「ピッピッピッ、ピ―――ッ」等）を所定の発報時間（例えば、数秒）だけ発報する（第一の発報）（図５：Ｓ１０５）。
【００２９】
これにより、作業者が、小瓶２１をセットして攪拌を開始した後に、他の作業を行ったとしても、アラームの発報により、小瓶２１の攪拌と静置の終了を知ることが可能となり、小瓶の攪拌に掛かり切りになることなく、アラームの発報により攪拌と静置の終了後の置き忘れを防止することが出来る。その結果、作業者の攪拌負担や監視負担を軽減することが出来る。
【００３０】
さて、作業者が、小瓶２１を目視し、溶解状態を確認する。ここで、作業者が、小瓶２１中の薬液や薬剤が十分に溶解されていない（又は混合されていない）と判断した場合は、追加で攪拌する必要がある。この場合、作業者は、追加で、再度、起動／一時停止ボタン１１ｂを押下すると（図５：Ｓ１０６ＹＥＳ）、攪拌装置１の繰り返し制御部２０５が、発報の完了後に、起動／一時停止ボタン１１ｂの押下が行われる度に、攪拌と、静置と、発報とを繰り返す。
【００３１】
具体的には、繰り返し制御部２０５は、押下検知制御部２０１を介して、起動／一時停止ボタン１１ｂの押下を検知すると、攪拌制御部２０２を介して、当該起動／一時停止ボタン１１ｂの押下の検知時点からの経過時間が、予め設定された攪拌時間（例えば、「１５秒」）を経過するまで、ホルダー１４の偏心回転による当該ホルダー１４上の小瓶２１の攪拌を行う（第二の攪拌）（図５：Ｓ１０７）。
【００３２】
攪拌制御部２０２が攪拌する方法に特に限定は無いが、例えば、第二の攪拌は、第一の攪拌と同様でも良いし、攪拌時間が、小瓶２１の内容物や一回目の攪拌時間の長短に応じて適宜設計されても良い。又、攪拌制御部２０２が、攪拌中の経過時間を１秒間隔でカウントアップし、カウントアップした時間を表示部１２に表示したり、表示部１２に、二回目の押下を示す情報（例えば、「２」）を表示したりしても良い。
【００３３】
さて、経過時間が攪拌時間を経過すると、繰り返し制御部２０５は、静置制御部２０３を介して、ホルダー１４の偏心回転を停止させるとともに、当該ホルダー１４の偏心回転の停止時点からの経過時間が、予め設定された静置時間（例えば、「１０分」）を経過するまで、ホルダー１４を静置させる（第二の静置）（図５：Ｓ１０８）。
【００３４】
静置制御部２０３が静置させる方法に特に限定は無いが、例えば、第二の静置は、第一の静置と同様でも良いし、静置時間が、小瓶２１の内容物や一回目の攪拌時間や一回目の静置時間の長短に応じて適宜設計されても良い。又、静置制御部２０３が、静置中の経過時間を１秒間隔でカウントアップし、カウントアップした時間を表示部１２に表示したり、表示部１２に、二回目の押下を示す情報（「２」）を表示したりしても良い。
【００３５】
さて、経過時間が静置時間を経過すると、繰り返し制御部２０５は、発報制御部２０４を介して、アラーム（「ピッピッピッ、ピ―――ッ」等）を所定の発報時間（例えば、数秒）だけ発報する（第二の発報）（図５：Ｓ１０９）。
【００３６】
これにより、作業者が、再攪拌を開始した後に、他の作業を行ったとしても、アラームの発報により、小瓶２１の攪拌と静置の終了を知ることが可能となり、上述と同様に、作業者の攪拌負担や監視負担を軽減することが出来る。又、作業者は、攪拌が足りないと判断した場合は、起動／一時停止ボタン１１ｂを繰り返し押下すれば、同様の攪拌、静置、発報を繰り返すため、作業者は、規則正しく、小瓶２１に攪拌、静置等を繰り返すことが可能となる。
【００３７】
さて、作業者が、小瓶２１を目視し、溶解状態を確認する。ここで、二回攪拌しているため、小瓶２１中の薬液や薬剤が十分に溶解されている（又は混合されている）とする。この場合、作業者は、ホルダー１４から小瓶２１を取り外し、小瓶２１を使用する。
【００３８】
一方、繰り返し制御部２０５は、第二の発報を完了した際に、電源ボタン１１ａの押下を検知するか、第二のアラームの発報の完了の時点からの経過時間が、所定の電源ＯＦＦ時間（例えば、「３分」）を経過すると、電源をＯＦＦする（図５：Ｓ１１０ＹＥＳ）。これにより、作業者の電源ボタン１１ａの押下時又は自動的に、攪拌装置１の小瓶２１の攪拌と静置を完了することが出来る。
【００３９】
又、Ｓ１０６において、作業者が、小瓶２１中の薬液や薬剤が十分に溶解されている（又は混合されている）と判断した場合は、起動／一時停止ボタン１１ｂを追加で押下することなく、ホルダー１４から小瓶２１を取り外す。すると、Ｓ１１０に移行し、繰り返し制御部２０５は、上述と同様に、第一のアラームの発報を完了した際に、電源ボタン１１ａの押下を検知するか、第一のアラームの発報の完了の時点からの経過時間が電源ＯＦＦ時間（「３分」）を経過すると、電源をＯＦＦする（図５：Ｓ１１０ＹＥＳ）。これによっても、上述と同様に、作業者の電源ボタン１１ａの押下時又は自動的に、攪拌装置１の小瓶２１の攪拌と静置を完了することが出来る。
【００４０】
尚、本考案に係る攪拌装置１は、二回の起動／一時停止ボタン１１ｂの押下により二回目の攪拌、静置、発報を行って終了したが、押下の回数に特に限定は無く、発報の完了後に、起動／一時停止ボタン１１ｂの押下が行われる度に、攪拌と、静置と、発報とを繰り返すよう構成しても良い。又、起動／一時停止ボタン１１ｂの押下の回数に応じて、攪拌時間、静置時間、発報時間を適宜変更するよう構成しても良い。又、本考案の実施形態では、攪拌装置１の構成に、更に、他の機能を追加しても構わない。
【産業上の利用可能性】
【００４１】
以上のように、本考案は、薬液等の医薬品に限らず、攪拌と静置とを規則正しく行う必要のある試料の攪拌装置として有用であり、看護師等の作業者が掛かり切りになることなく、規則正しく試料に攪拌と静置とを行うことが可能な攪拌装置として有効である。
【符号の説明】
【００４２】
１    攪拌装置
１０  筐体
１１  ボタン
１２  表示部
１３  くぼみ
１４  ホルダー
２０１  押下検知制御部
２０２  攪拌制御部
２０３  静置制御部
２０４  発報制御部
２０５  繰り返し制御部
【図１】
0003225394.tif 000003
【図２】
0003225394.tif 000004
【図３】
0003225394.tif 000005
【図４】
0003225394.tif 000006
【図５】
0003225394.tif 000007
【図６】
0003225394.tif 000008
【図７】
0003225394.tif 000009
【図８】
0003225394.tif 000010
【手続補正書】
【提出日】令和1年12月23日(2019.12.23)
【手続補正１】
【補正対象書類名】実用新案登録請求の範囲
【補正対象項目名】全文
【補正方法】変更
【補正の内容】
【実用新案登録請求の範囲】
【請求項１】
液体同士、又は液体と粉体とを収容する試料を保持するために設けられたホルダーと、
前記ホルダーを固定したトレイを、回転軸に接続した偏心モーターと、
を備えた攪拌装置であって、
攪拌を開始させるためのボタンの押下を検知する押下検知制御部と、
前記ボタンの押下が検知されると、当該ボタンの押下の検知時点からの経過時間が、予め設定された攪拌時間を経過するまで、前記偏心モーターの回転軸を所定の方向に回転させることで、前記ホルダーの偏心回転による当該ホルダー上の試料の攪拌を行う攪拌制御部と、
前記経過時間が前記攪拌時間を経過すると、前記ホルダーの偏心回転を停止させるとともに、当該ホルダーの偏心回転の停止時点からの経過時間が、予め設定された静置時間を経過するまで、前記ホルダー上の試料を静置させる静置制御部と、
前記経過時間が前記静置時間を経過すると、アラームを所定の発報時間だけ発報する発報制御部と、
前記発報の完了後に、前記ボタンの押下が行われる度に、前記攪拌と、前記静置と、前記発報とを繰り返す繰り返し制御部と、
を備える攪拌装置。